(57)【要約】【課題】部品の取付位置や取付姿勢のばらつきを良好に吸収しながら、所定の取付部位に部品を容易に取り付けることができる部品の取付構造を提供する。【解決手段】変形可能なブラケット１が取付部位に固定され、意匠部品１０がブラケット１を介して取付部位に、取付固定ねじ１９により締め付け固定して取り付けられる。ブラケット１には曲げ部４ａ，４ｂを介して部品取付用の取付部５が形成され、意匠部品１０にはブラケット１の取付部５に当接する被取付部１５が設けられる。被取付部１５には位置決め孔１８が形成され、ブラケット１の取付部５には位置決め孔１８に嵌入する突起７が設けられる。【選択図】図２
2004108456.tif 000002
【特許請求の範囲】
【請求項１】
変形可能なブラケットが取付部位に固定され、部品が該ブラケットを介して該取付部位に、取付固定ねじにより締め付け固定して取り付けられる部品の取付構造において、
該ブラケットには曲げ部を介して部品取付用の取付部が形成され、該部品には該ブラケットの該取付部に当接する被取付部が設けられ、該被取付部には位置決め孔が形成されると共に、該ブラケットの該取付部には該位置決め孔に嵌入する突起が設けられ、該取付部にはねじ孔部が設けられ、該部品の被取付部を該ブラケットの該取付部に当接させ、該突起を該位置決め孔に嵌入して該部品をブラケットに対し位置決めした状態で、該ねじ孔部に前記取付固定ねじをねじ込み締め付け固定したことを特徴とする部品の取付構造。
【請求項２】
前記部品の被取付部の近傍に、該被取付部の取付面に対し任意の角度を持った当接部が形成され、前記ブラケットの取付部の先端側には該当接部に接合する曲折部が該角度だけ曲折して形成されていることを特徴とする請求項１記載の部品の取付構造。
【発明の詳細な説明】
【０００１】
【発明の属する技術分野】
本発明は、合成樹脂成形品等の部品を、ブラケットを介して所定の取付部位に、取付固定ねじを使用して取付・固定する部品の取付構造に関する。
【０００２】
【従来の技術】
例えば合成樹脂製の比較的軽量の部品を、所定の取付部位に取り付ける場合、その取付部の位置寸法のばらつき或いは部品の取付部の寸法のばらつきを吸収して、良好な姿勢でその部品を取付・固定するために、従来では、塑性変形可能なブラケットと固定ねじを用いて被取付部に取り付けることが行なわれている。
【０００３】
【発明が解決しようとする課題】
具体的には図４に示すように、例えば、自動車室内の意匠部品２０を、自動車の天井部或いは側壁部のボディパネル２１に対し固定すると共に、意匠部品２０の上部をクリップ２２を介して、上方部材２３に固定して、部品を車室内に取り付ける場合、先ず塑性変形可能でタッピング孔２４ａを持ったブラケット２４を、ボディパネル２１に固定ねじ２６で締め付け固定する。
【０００４】
そして、意匠部品２０の取付部に設けた取付孔２０ａを、ブラケット２４のねじ孔２４ａ近傍に位置させながら、意匠部品２０の上部に設けたクリップ２２を、上方部材２３の嵌合孔２３ａに嵌め込むように、意匠部品２０を持ち上げ、クリップ２２を上方部材２３の嵌合孔２３ａに嵌め込むと共に、ブラケット２４のタッピング孔２４ａの部分に、意匠部品２０の取付孔２０ａの箇所を押し付けて位置決めし、意匠部品２０の取付孔２０ａとブラケット２４のタッピング孔２４ａを合わせ、そこにタッピングねじ２５をねじ込むようにしている。
【０００５】
しかしながら、このとき、意匠部品２０の取付孔２０ａをブラケット２４のねじ孔２４ａに合わせるように、意匠部品２０を押上げていくと、図４のように、ブラケット２４には意匠部品２０の動きを規制する部分がないために、意匠部品２０の取付孔２０ａとブラケット２４のねじ孔２４ａの位置がずれた状態となり易い。このため、その状態で、タッピングねじ２５を取付孔２０ａからねじ孔２４ａにねじ込もうとしても、適正にねじ込むことができず、ねじが不正な角度でねじ込まれた場合、ねじ山がつぶれて締め付け固定ができなくなる虞があった。
【０００６】
本発明は、上述の課題を解決するものであり、部品の取付位置や取付姿勢のばらつきを良好に吸収しながら、所定の取付部位に部品を容易に取り付けることができる部品の取付構造を提供することを目的とする。
【０００７】
【課題を解決するための手段】
上記目的を達成するために、本発明の部品の取付構造は、変形可能なブラケットが取付部位に固定され、部品がブラケットを介して取付部位に、取付固定ねじにより締め付け固定して取り付けられる部品の取付構造において、ブラケットには曲げ部を介して部品取付用の取付部が形成され、部品にはブラケットの取付部に当接する被取付部が設けられ、被取付部には位置決め孔が形成されると共に、ブラケットの取付部には位置決め孔に嵌入する突起が設けられ、取付部にはねじ孔部が設けられ、部品の被取付部をブラケットの取付部に当接させ、突起を位置決め孔に嵌入して部品をブラケットに対し位置決めした状態で、ねじ孔部に取付固定ねじをねじ込み締め付け固定したことを特徴とする。
【０００８】
ここで、上記部品の被取付部の近傍に、その被取付部の取付面に対し任意の角度を持った当接部を形成し、上記ブラケットの取付部の先端側に、その当接部に接合する曲折部を上記角度だけ曲折して形成するとよい。
【０００９】
【作用】
上記構成の部品の取付構造では、部品をブラケットの近傍に位置させ、部品の被取付部をブラケットの取付部側に近づけるように保持する。このとき、部品の当接部がブラケット先端の曲折部の先端に当接し、ブラケットの上部を取付部位側に徐々に変形させていく。この操作により、部品の被取付部がブラケットの取付部の取付面に接合し、且つその上の曲折部が部品の当接部に接合した状態となり、このとき、ブラケットの取付面から突出する突起が部品の被取付部の位置決め孔に嵌入する。
【００１０】
これにより、部品の被取付部は、ブラケットに対し正確な位置に位置決めされた状態となり、部品は正確な位置に仮止めされた状態となる。したがって、この状態で、取付固定ねじを部品とブラケットのねじ孔部にねじ込めば、取付固定ねじは正常にねじ孔部にねじ込まれ、部品はブラケットに締め付け固定される。
【００１１】
このように、部品を変形可能なブラケットの取付部に近づけ被取付部を接合させれば、部品の取付位置や取付姿勢のばらつきを良好に吸収しながら、容易にねじ孔部の位置決めを正確に行なうことができ、その状態で、ねじ孔部に取付固定ねじをねじ込んで締め付ければよいから、部品を取付部位に極めて容易に且つ正常に取り付けることができる。
【００１２】
【発明の実施の形態】
以下、本発明の一実施形態を図面に基づいて説明する。図１はこの発明の部品の取付構造に使用するブラケット１の斜視図を示している。このブラケット１は、金属板を所定の形状に曲げて形成され、その下部に固定孔３を穿設した固定部２が形成され、その固定部２の上に塑性変形可能な曲げ部４ａ，４ｂが形成される。固定部２は、後述の例えばボディパネル１１に固定ねじ１４とナット１４ａで締付け固定される部分として形成され、曲げ部４ａ，４ｂは、金属板を例えば約１２０度の角度に曲げて形成され、その前後の角度で塑性変形可能である。
【００１３】
曲げ部４ａ，４ｂの上部には平板上の取付部５が形成され、取付部５にはその背面側に例えば溶接ナットが取付孔に連通して固着され、ねじ孔部６を形成している。さらに、そのねじ孔部６の下部には、金属板の一部を取付部５の取付面側に切り起こすことにより、突起７がその取付面側に突出して形成されている。さらに、取付部５の上部には、取付部５に対し取付面側に略直角に曲折して、曲折部８が形成されている。曲折部８は取付部５に対し直角に曲げて形成される。
【００１４】
一方、このブラケット１を用いて被取付部のボディパネル１１の所定位置に取り付けられる意匠部品１０は、例えば合成樹脂製のカバー体として形成され、ブラケット１の取付部５に当接可能な被取付部１５を有すると共に、その被取付部１５の上部に、ブラケット１の曲折部８が当接する当接部１６が形成される。
【００１５】
この当接部１６は被取付部１５の上側に略直角の位置関係で形成される。また、意匠部品１０の被取付部１５には、取付固定ねじ１９を挿入するための挿通孔１７と、その下に上記ブラケット１側の突起７を位置決めして嵌め込むための位置決め孔１８が形成される。
【００１６】
さらに、図２に示すように、意匠部品１０の上部には、その上部を上方部材１３（例えば車室内の上方に設置された機器の一部）に固定するためのクリップ１２が上向きに固定される。上方部材１３にはクリップ１２が嵌着される嵌着孔１３ａが形成されている。
【００１７】
上記構成の意匠部品１０は、上記ブラケット１を用いて次のように、機器の上方部材１３とボディパネル１１間に取り付けられる。
【００１８】
先ず、ブラケット１が、その下部の固定部３をボディパネル１１の所定位置に当接した状態で、固定ねじ１４をその固定孔３に挿通させ、ナット１４ａにねじ込んで、締め付け固定される。この状態で、ブラケット１は、図２に示すように曲げ部４ａ，４ｂを介してその上部（取付部５）を前後方向に塑性変形可能に装着される。
【００１９】
次に、図２に示すように、意匠部品１０を所定位置に位置させ、持ち上げると共にブラケット１側に斜め上方に押上げるようにする。このとき、図２のように、先ず意匠部品１０の当接部１６がブラケット１の上端の曲折部８の先端に当接し、ブラケット１の上部をボディパネル１１側に徐々に塑性変形させていく。この操作により、意匠部品１０の被取付部１５がブラケット１の取付部５の取付面に重なり合い、且つその上の曲折部８が意匠部品１０の当接部１６に重なり合う状態となり、このとき、ブラケット１の取付面から突出する突起７が意匠部品１０の被取付部１５の位置決め孔１８に嵌入する。
【００２０】
これにより、意匠部品１０の被取付部１５は図２の下図に示すように、ブラケット１に対し正確な位置に位置決めされた状態となる。また、このとき、意匠部品１０の上部に上向きに取り付けたクリップ１２が上方部材１３の嵌合孔１３ａに嵌入され、意匠部品１０は正確な位置に仮止めされた状態となる。
【００２１】
したがって、この状態で、取付固定ねじ１９を意匠部品１０の挿通孔１７から差し込めば、取付固定ねじ１９の先端はブラケット１のねじ孔部６に進入し、その状態で、取付固定ねじ１９を回せば、図３のように、取付固定ねじ１９はねじ孔部６にねじ込まれ、意匠部品１０はブラケット１に締め付け固定される。
【００２２】
このように、意匠部品１０をブラケット１を用いて取り付ける場合、意匠部品１０を所定位置で持ち上げるように保持するだけで、意匠部品１０の被取付部１５をブラケット１の取付部５の正確な位置に、位置決めして仮止めすることができるから、その状態で、取付固定ねじ１９を挿通孔１７からねじ孔部６にねじ込めば、極めて容易に締め付け固定を行なって、意匠部品を取り付けることができる。
【００２３】
【発明の効果】
以上説明したように、本発明の部品の取付構造によれば、部品をブラケットに固定する際、部品の被取付部を変形可能なブラケットの取付部に近づけ、その被取付部を接合させれば、部品の取付位置や取付姿勢のばらつきを良好に吸収しながら、ブラケットの取付部の突起が部品の被取付部の位置決め孔に嵌入し、ねじ孔部の位置決めを容易に且つ正確に行なうことができる。したがって、ブラケットの取付部と部品の被取付部が正確に位置決めされた状態で、そのねじ孔部に取付固定ねじをねじ込んで締め付ければ、取付固定ねじはねじ孔部に正常にねじ込まれ、部品をブラケットを介して取付部位に極めて容易に且つ良好に取り付けることができる。
【図面の簡単な説明】
【図１】本発明の一実施形態を示すブラケットの斜視図である。
【図２】部品を取り付ける際の取付構造を示す断面図である。
【図３】部品を取り付けた状態の断面図である。
【図４】従来の部品の取付構造を示す断面図である。
【符号の説明】
１−ブラケット
２−固定部
４ａ，４ｂ−曲げ部
５−取付部
６−ねじ孔部
７−突起
８−曲折部
１０−意匠部品
１１−ボディパネル
１５−被取付部
１６−当接部
１８−位置決め孔
１９−取付固定ねじ
【図１】
2004108456.tif 000003
【図２】
2004108456.tif 000004
【図３】
2004108456.tif 000005
【図４】
2004108456.tif 000006